【手続補正書】
【提出日】平成29年6月29日(2017.6.29)
【手続補正１】
【補正対象書類名】特許請求の範囲
【補正対象項目名】全文
【補正方法】変更
【補正の内容】
【特許請求の範囲】
【請求項１】
グローブ（１００）であって、
グローブ本体（１０２）と補強パネル（１２４）と切取り部（１２６）とを備えており、
前記グローブ本体（１０２）は、
第１の端部（１０４）と第２の端部（１０６）とを有する背面側（１０８）および掌側（１１０）と、
前記第１の端部（１０４）から延出している複数の指部（１１５）および親指部（１１４）と、
前記第２の端部（１０６）に画定された手首部（１１２）であって、グローブ本体（１０２）の内部に画定された内部（１３０）と連通するグローブ開口部（１２８）を画定する、手首部（１１２）と、を含んでおり、
前記補強パネル（１２４）は、前記親指部（１１４）と前記手首部（１１２）との間で前記グローブ本体（１０２）の外表面に固定されており、
前記切取り部（１２６）は、前記グローブ本体の皺寄りを抑えるために、前記補強パネル（１２４）を貫通し前記グローブ本体（１０２）の前記内部（１３０）と連通して形成されている開口部（１３８）を画定する、グローブ（１００）。
【請求項２】
前記切取り部（１２６）の前記開口部（１３８）は、前記グローブ本体（１０２）の前記背面側（１０８）と前記掌側（１１０）とを実質的に貫通して形成されている、請求項１に記載のグローブ（１００）。
【請求項３】
前記切取り部（１２６）の前記開口部（１３８）は、前記グローブ材料の実質的に等しい量が前記グローブ本体（１０２）の前記背面側（１０８）と前記掌側（１１０）とを貫通して形成されるように、前記グローブ本体（１０２）の前記背面側（１０８）と前記掌側（１１０）とを実質的に貫通して形成されている、請求項１に記載のグローブ（１００）。
【請求項４】
前記切取り部（１２６）の前記開口部（１３８）は、実質的な長円形構成、実質的な円形構成、実質的な矩形構成、または実質的な涙滴形構成のうちの少なくとも１つを含む、請求項１〜３のいずれか一項に記載のグローブ（１００）。
【請求項５】
前記グローブ本体（１０２）はグローブ材料から作製されており、前記開口部（１３８）は前記グローブ材料内の空所に形成される、請求項１〜４のいずれか一項に記載のグローブ（１００）。
【請求項６】
前記補強パネル（１２４）は、皮材料、可撓性の手触りが柔らかいポリマー材料、または織布材料のうちの少なくとも１つを含む、請求項１〜５のいずれか一項に記載のグローブ（１００）。
【請求項７】
前記切取り部（１２６）の前記開口部は、構成が実質的に対称である、請求項１〜６のいずれか一項に記載のグローブ（１００）。
【請求項８】
前記グローブ（１００）は、ゴルフ・グローブ（１０２）、レーシング・グローブ、ガーデニング・グローブ、キッチン手袋、ミトン手袋、使捨て手袋、指なし手袋、サイクリング・グローブ、ボクシング・グローブ、ハンドラのグローブ、溶接工の手袋、衝撃保護手袋、フードサービス手袋、チェーンメール・グローブ、チェーンソー・グローブ、消防士の長手袋、弓懸け、野球用グローブ、アイス・ホッケー・グローブ、乗馬手袋、ラクロス・グローブ、フェンシング・グローブ、クリケット・グローブ、ビリヤード・グローブ、鷹狩り用手袋、ウェイトリフティング・グローブ、スキー用手袋、タッチスクリーン・グローブ、または車いす用グローブである、請求項１〜７のいずれか一項に記載のグローブ（１００）。
【請求項９】
グローブ（１００）を製造する方法であって、
グローブ本体（１０２）を形成するステップと、
補強パネル（１２４）を前記グローブ本体（１０２）の外表面に固定するステップと、
前記グローブ本体の皺寄りを抑えるために、前記補強パネルを貫通して開口部を画定する切取り部（１２６）を形成するステップと、を備えており、
前記グローブ本体（１０２）は、
第１の端部（１０４）と第２の端部（１０６）とを有する背面側（１０８）および掌側（１１０）と、
前記第１の端部（１０４）から延出している複数の指部（１１５）および親指部（１１４）と、
前記第２の端部（１０６）に画定された手首部（１１２）であって、グローブ本体（１０２）の内部に画定された内部（１３０）と連通するグローブ開口部（１２８）を画定する、手首部（１１２）と、を含む、方法。
【請求項１０】
前記補強パネルを前記グローブ本体に固定する前記ステップは、実質的に前記親指部と前記手首部との間の、前記グローブ本体の領域内で、前記補強パネルを前記グローブ本体に固定することを含む、請求項９に記載の方法。
【請求項１１】
前記補強パネルを前記グローブ本体に固定する前記ステップは、皮材料、可撓性の手触りが柔らかいポリマー材料、または織布材料のうちの少なくとも１つから作製されている補強パネルを固定することを含む、請求項９または１０に記載の方法。
【請求項１２】
前記切取り部を形成する前記ステップは、実質的な長円形構成、実質的な円形構成、実質的な矩形構成、または実質的な涙滴形構成のうちの少なくとも１つを有する開口部を画定する切取り部を形成することを含む、請求項９〜１１のいずれか一項に記載の方法。
【請求項１３】
前記切取り部を形成する前記ステップは、実質的な対称構成を画定する切取り部を形成することを含む、請求項９〜１２のいずれか一項に記載の方法。
【手続補正２】
【補正対象書類名】明細書
【補正対象項目名】００３６
【補正方法】変更
【補正の内容】
【００３６】
上述から当然のことながら、特定の実施形態が例示され、記載されたが、当業者に明らかになるように、本発明の精神および範囲から逸脱することなく、それに対して種々の修正が加えられることが可能である。そのような変更および修正は、本明細書に添付されている特許請求の範囲において定められる本発明の範囲および教示の範囲内に入る。
以下の項目は、国際出願時の特許請求の範囲に記載の要素である。
（項目１）
グローブ（１００）であって、
グローブ本体（１０２）と補強パネル（１２４）と切取り部（１２６）とを備えており、
前記グローブ本体（１０２）は、
第１の端部（１０４）と第２の端部（１０６）とを有する背面側（１０８）および掌側（１１０）と、
前記第１の端部（１０４）から延出している複数の指部（１１５）および親指部（１１４）と、
前記第２の端部（１０６）に画定された手首部（１１２）であって、グローブ本体（１０２）の内部に画定された内部（１３０）と連通するグローブ開口部（１２８）を画定する、手首部（１１２）と、を含んでおり、
前記補強パネル（１２４）は、前記親指部（１１４）と前記手首部（１１２）との間で前記グローブ本体（１０２）に固定されており、
前記切取り部（１２６）は、前記補強パネル（１２４）を貫通し前記グローブ本体（１０２）の前記内部（１３０）と連通して形成されている開口部（１３８）を画定する、グローブ（１００）。
（項目２）
前記補強パネル（１２４）は、前記親指部（１１４）と前記手首部（１１２）との間で前記グローブ本体（１０２）に固定されている、項目１に記載のグローブ（１００）。
（項目３）
前記切取り部（１２６）は、前記グローブ本体（１０２）の領域内での前記グローブ本体（１０２）の皺寄りを防止する、項目１に記載のグローブ（１００）。
（項目４）
前記切取り部（１２６）は、前記親指部（１１４）と前記手首部（１１２）との間の前記グローブ本体（１０２）の領域内での前記グローブ本体（１０２）の皺寄りを防止する、項目１に記載のグローブ（１００）。
（項目５）
前記切取り部（１２６）の前記開口部（１３８）は、前記グローブ本体（１０２）の前記背面側（１０８）と前記掌側（１１０）とを実質的に貫通して形成されている、項目１に記載のグローブ（１００）。
（項目６）
前記切取り部（１２６）の前記開口部（１３８）は、前記グローブ材料の実質的に等しい量が前記グローブ本体（１０２）の前記背面側（１０８）と前記掌側（１１０）とを貫通して形成されるように、前記グローブ本体（１０２）の前記背面側（１０８）と前記掌側（１１０）とを実質的に貫通して形成されている、項目１に記載のグローブ（１００）。
（項目７）
前記切取り部（１２６）の前記開口部（１３８）は、実質的な長円形構成、実質的な円形構成、実質的な矩形構成、または実質的な涙滴形構成のうちの少なくとも１つを含む、項目１に記載のグローブ（１００）。
（項目８）
前記グローブ本体（１０２）はグローブ材料から作製されており、前記開口部（１３８）は前記グローブ材料内の空所に形成される、項目１に記載のグローブ（１００）。
（項目９）
前記補強パネル（１２４）は、皮材料、可撓性の手触りが柔らかいポリマー材料、織布材料、または様々な合成繊維材料のうちの少なくとも１つを含む、項目１に記載のグローブ（１００）。
（項目１０）
前記切取り部（１２６）は、前記グローブ本体（１０２）の材料が除去されて前記グローブ本体（１０２）の部分に皺が寄らないようにする空所を作り出している前記グローブ本体（１０２）の前記部分に形成されている、項目１に記載のグローブ（１００）。
（項目１１）
前記切取り部（１２６）の前記開口部は、構成が実質的に対称である、項目１に記載のグローブ（１００）。
（項目１２）
前記グローブ（１００）は、ゴルフ・グローブ（１０２）、レーシング・グローブ、ガーデニング・グローブ、キッチン手袋、ミトン手袋、使捨て手袋、指なし手袋、サイクリング・グローブ、ボクシング・グローブ、ハンドラのグローブ、溶接工の手袋、衝撃保護手袋、フードサービス手袋、チェーンメール・グローブ、チェーンソー・グローブ、消防士の長手袋、弓懸け、野球用グローブ、アイス・ホッケー・グローブ、乗馬手袋、ラクロス・グローブ、フェンシング・グローブ、クリケット・グローブ、ビリヤード・グローブ、鷹狩り用手袋、ウェイトリフティング・グローブ、スキー用手袋、タッチスクリーン・グローブ、または車いす用グローブである、項目１に記載のグローブ（１００）。
（項目１３）
グローブ（１００）を製造する方法であって、
グローブ本体（１０２）を形成するステップと、
補強パネル（１２４）を前記グローブ本体（１０２）に固定するステップと、
前記補強パネルを貫通して開口部を画定する切取り部（１２６）を形成するステップと、を備えており、
前記グローブ本体（１０２）は、
第１の端部（１０４）と第２の端部（１０６）とを有する背面側（１０８）および掌側（１１０）と、
前記第１の端部（１０４）から延出している複数の指部（１１５）および親指部（１１４）と、
前記第２の端部（１０６）に画定された手首部（１１２）であって、グローブ本体（１０２）の内部に画定された内部（１３０）と連通するグローブ開口部（１２８）を画定する、手首部（１１２）と、を含む、方法。
（項目１４）
前記補強パネルを前記グローブ本体に固定する前記ステップは、実質的に前記親指部と前記手首部との間の、前記グローブ本体の領域内で、前記補強パネルを前記グローブ本体に固定することを含む、項目１３に記載の方法。
（項目１５）
前記補強パネルを前記グローブ本体に固定する前記ステップは、皮材料、可撓性の手触りが柔らかいポリマー材料、織布材料、または様々な合成繊維材料のうちの少なくとも１つから作製されている補強パネルを固定することを含む、項目１３に記載の方法。
（項目１６）
前記切取り部を形成する前記ステップは、実質的な長円形構成、実質的な円形構成、実質的な矩形構成、または実質的な涙滴形構成のうちの少なくとも１つを有する開口部を画定する切取り部を形成することを含む、項目１３に記載の方法。
（項目１７）
前記切取り部を形成する前記ステップは、実質的な対称構成を画定する切取り部を形成することを含む、項目１３に記載の方法。
（項目１８）
グローブであって、
グローブ本体を備えており、
前記グローブ本体が、
第１の端部と第２の端部とを有する背面側および掌側と、
前記第１の端部から延出している複数の指部および親指部と、
前記第２の端部に画定された手首部であって、前記グローブ本体の内部に画定された内部と連通するグローブ開口部を画定する、手首部と、
前記グローブ本体を貫通し前記グローブ本体の前記内部と連通して形成されている開口部を画定する切取り部と、を含む、グローブ。
（項目１９）
前記切取り部の前記開口部は、構成が実質的に対称である、項目１８に記載のグローブ。
（項目２０）
前記切取り部は、応力が前記開口部に沿って実質的に等しく分配されることを可能にする、項目１８に記載のグローブ。
（項目２１）
前記グローブ本体はグローブ材料から作製されており、前記開口部は前記グローブ材料内の空所に形成されている、項目１８に記載のグローブ。
（項目２２）
前記グローブは、ゴルフ・グローブ、レーシング・グローブ、ガーデニング・グローブ、キッチン手袋、ミトン手袋、使捨て手袋、指なし手袋、サイクリング・グローブ、ボクシング・グローブ、ハンドラのグローブ、溶接工の手袋、衝撃保護手袋、フードサービス手袋、チェーンメール・グローブ、チェーンソー・グローブ、消防士の長手袋、弓懸け、野球用グローブ、アイス・ホッケー・グローブ、乗馬手袋、ラクロス・グローブ、フェンシング・グローブ、クリケット・グローブ、ビリヤード・グローブ、鷹狩り用手袋、ウェイトリフティング・グローブ、スキー用手袋、タッチスクリーン・グローブ、または車いす用グローブである、項目１８に記載のグローブ。